(57)【要約】【課題】  網籠を箱形引出しと共に引出し自在に配設しているキャビネットであって、体裁のよい外観を呈すると共に上記網籠の引出し操作が簡単且つ円滑に行えるようにする。【解決手段】  網籠本体１の前面部と箱形引出し21の前面板からそれぞれ前方に向かって突設している把手部６と把手体23を斜め下方に向かって同一角度で且つ同一突出長でもって突設していると共にこれらの把手部６と把手体23とを同一垂直面上に設けて調和のとれた優れた外観を呈するように構成していると共に、網籠本体１の把手部６の後方に網籠本体１を形成している線状物が存在しない空間部10を設けて該把手部６の把持が容易に行えるように構成している。【選択図】    図９
2008092966.tif 000002
【特許請求の範囲】
【請求項１】
高さ方向の中間部と上端開口縁とに中間周枠と上端周枠とをそれぞれ設けている平面矩形状の網籠本体において、上記上端周枠における前側枠部を前方に向かって斜め下方に突設した把手部に屈折、形成していると共に、この把手部の後方に対向する網籠本体の前面上部を欠除して把手部の後方に網籠本体内に直接、連通した空間部を設けていることを特徴とする網籠。
【請求項２】
網籠本体は、複数本の線状物を縦横に網組してなる平面矩形状の網状底面部と、この網状底面部の四方端縁から上記線状物が上方に向かって屈曲していると共にこれらの線状物に直交する中間周枠を一体に設けてなる一定高さの網状の前後面部及び両側面部と、これらの前後及び両側面部によって囲まれた空間部の上端開口縁に一体に設けている上端周枠とからなり、網状底面部の前端から上方に屈曲している線状物の上端を上記中間周枠に達した短い長さに形成して、把手部の後方に対向する該中間周枠から上方の網状前面部の上部を線状物が存在しない空間部に形成していることを特徴とする請求項１に記載の網籠。
【請求項３】
上端周枠の両側枠部を網籠本体の両側面部の上端縁から外側方に水平に突出した縁部に形成していることを特徴とする請求項１又は請求項２に記載の網籠。
【請求項４】
前面が開口したキャビネット本体に複数の箱形引出し又は扉体と網籠とを上下方向に配設してなるキャビネットにおいて、上記網籠は、高さ方向の中間部と上端開口縁とに中間周枠と上端周枠とをそれぞれ設けている平面矩形状の網籠本体と、この網籠本体における上記上端周枠の前側枠部を前方に向かって斜め下方に屈曲させて両側傾斜支持片部の前端間に把持片部を一体に形成してなる把手部と、この把手部の後方に対向する網籠本体の前面上部を欠除して把手部の後方に網籠本体内に直接、連通した空間部とを設けてなる一方、箱形引出し又は扉体はその前面板に該前面板の前面から前方に突設した両側取付部の前端間に手掛部を一体に設けてなる把手体を固着してなり、上記各網籠の前面部に形成している把手部と各箱形引出し又は扉体の把手体とを縦方向に同一垂直面上に配列していると共に網籠の把手部の突出長と箱形引出し又は扉体の把手体の突出長とを同一長さとし、且つ、網籠の把手部と箱形引出し又は扉体の把手体との下方への傾斜角度を等しい角度に形成していることを特徴とする収納キャビネット。
【請求項５】
網籠本体における上端周枠の両側枠部を両側面部の上端縁から外側方に水平に突出させて互いに平行な一定幅の縁部を形成してあり、この両側縁部をキャビネット本体の両側板の対向する内側面に前後方向に取付けている断面コ字状の水平ガイドレールに摺動自在に支持させていることを特徴とする請求項４に記載の収納キャビネット。
【発明の詳細な説明】
【技術分野】
【０００１】
本発明は、前面上端部に把手部を形成している網籠と、この網籠を箱形引出し又は扉体と共に配設した収納キャビネットに関するものである。
【背景技術】
【０００２】
網籠は、金属細線よりなる線状物を縦横に網組して平面矩形状の網状底面部を形成すると共にこの網状底面部の四方端縁から上記線状物を上方に向かって屈曲、起立させ、且つ、これらの起立した線状物の高さ方向の中間部と上端部とに線状物よりなる中間周枠と上端周枠とをそれぞれ一体に設けて網状の前後面部と両側面部とを形成してなるものが広く知られており、外部からこの網籠の内部の収納物品が透視可能であるために、買い物籠としては勿論のこと、家庭内においてはタオル等の収納用として便益に使用されている。
【０００３】
このように家庭内において網籠を使用する場合、例えば、特許文献１に記載されているように、収納キャビネットに複数の網籠を通常の箱形引出しと共に引出し自在に配設して各種物品を整然と収納することができるように構成したものが知られている。また、網籠は事務用等の収納籠としても使用され、例えば、特許文献２に記載されているように、網籠本体の前面上部に該網籠本体の上端周枠を下方に向かって垂直状に屈折させて把手部を形成してなる網籠を複数の箱形引出しと共に収納キャビネットに引出し自在に配設してなる構造のものも知られている。
【特許文献１】特開平８−３２２６６２号公報
【特許文献２】意匠登録第１１７８４３６号公報
【発明の開示】
【発明が解決しようとする課題】
【０００４】
しかしながら、上記特許文献１に記載の収納キャビネットに配設された網籠は、その前面枠に把手部を設けていないために、収納キャビネットから出し入れする際には、網籠の開口端周縁に設けている上周枠の前側枠部を把持して行わなければならないために、上下に隣接する網籠間に、上記上周枠を把持可能に手が挿入可能な広さを有する空隙部を設けておかねばならず、そのため、その分だけ網籠の高さを低くする必要が生じて収納容積が減少するばかりでなく、引出し時においては、手の甲が上側の網籠の網状底面部に当接したり、指先が引出すべき網籠の線状物に当接したりして、引出し操作に支障が生じると共に擦り傷を受ける虞れがあった。
【０００５】
一方、特許文献２においては、網籠の網状前面部の上部に把手部を形成しているため、該網籠の上方に手が挿入可能な隙間を設けておく必要はないが、この把手部は網籠本体の上端周枠を下方に向かって垂直状に屈折することにより形成してなるものであるから、把手部と網籠の前面部との間の隙間が狭くて該把手部を把持する際に、網籠内の収納物を奥側に押し込んで手先が挿入可能な空間部を設けなければならず、従って、円滑な引出し操作が行えなくなるばかりでなく、この把手部の下端水平把持片部に網状底面部の前端から上方に屈折している複数本の線状物の上端を一体に固着することによって、これらの線状物と把手部とによって網籠の前面部を形成しているため、把手部の下端水平把持片部を把持する際に、これらの線状物が把持の妨げとなるといった問題点があった。
【０００６】
また、この網籠を箱形引出しと共にキャビネット本体に引出し自在に配設して収納キャビネットを構成した場合、箱形引出しに設けている把手体は引出し前面板から前方に突出しているが、網籠の把手部は前方に突出していないために、網籠を引出す場合には該把手の位置を確認する必要があるばかりでなく、箱形引出しの把手とこの網籠の把手部とを把持する際の感覚に違和感が生じて使用勝手が悪くなる虞れがあり、また、収納キャビネットの外観を損するといった問題点があった。
【０００７】
本発明はこのような問題点に鑑みてなされたもので、その目的とするところは、把手部の把持が何らの妨げを受けることなく簡単且つ正確に行えると共に引出し操作も円滑に行うことができ、また、キャビネット本体に箱形引出し又は扉体と共に配設された状態においては、違和感を生じさせることなく箱形引出しと同じ引出し時の把持感覚でもって引出し操作が行える網籠とこの網籠を備えた収納キャビネットとを提供するにある。
【課題を解決するための手段】
【０００８】
上記目的を達成するために本発明の網籠は、請求項１に記載したように、高さ方向の中間部と上端開口縁とに中間周枠と上端周枠とをそれぞれ設けている平面矩形状の網籠本体において、上記上端周枠における前側枠部を前方に向かって斜め下方に突設した把手部に屈折、形成していると共に、この把手部の後方に対向する網籠本体の前面上部を欠除して把手部の後方に網籠本体内に直接、連通した空間部を設けた構造としている。
【０００９】
このように構成した網籠において、請求項２に係る発明は、上記網籠本体を、複数本の線状物を縦横に網組してなる平面矩形状の網状底面部と、この網状底面部の四方端縁から上記線状物が上方に向かって屈曲していると共にこれらの線状物に直交する中間周枠を一体に設けてなる一定高さの網状の前後面部及び両側面部と、これらの前後及び両側面部によって囲まれた空間部の上端開口縁に一体に設けている上端周枠とから構成してあり、網状底面部の前端から上方に屈曲している線状物の上端を上記中間周枠に達した短い長さに形成して、把手部の後方に対向する該中間周枠から上方の網状前面部の上部を線状物が存在しない空間部に形成していることを特徴とする。
【００１０】
さらに、請求項３に係る発明は、上記網籠本体における上端周枠の両側枠部を網籠本体の両側面部の上端縁から外側方に水平に突出した縁部に形成していることを特徴とする。
【００１１】
請求項４に係る発明は、前面が開口したキャビネット本体に複数の箱形引出し又は扉体と共に上記網籠を上下方向に数段宛、配設してなる収納キャビネットであって、網籠は高さ方向の中間部と上端開口縁とに中間周枠と上端周枠とをそれぞれ設けている平面矩形状の網籠本体と、この網籠本体における上記上端周枠の前側枠部を前方に向かって斜め下方に屈曲させて両側傾斜支持片部の前端間に把持片部を一体に形成してなる把手部と、この把手部の後方に対向する網籠本体の前面上部を欠除して把手部の後方に網籠本体内に直接、連通した空間部とを設けてなる一方、箱形引出し又は扉体はその前面板に該前面板の前面から前方に突設した両側取付部の前端間に手掛部を一体に設けてなる把手体を固着してなり、上記各網籠の前面部に形成している把手部と各箱形引出し又は扉体の把手体とを縦方向に同一垂直面上に配列していると共に網籠の把手部の突出長と箱形引出し又は扉体の把手体の突出長とを同一長さとし、且つ、網籠の把手部と箱形引出し又は扉体の把手体との下方への傾斜角度を等しい角度に形成していることを特徴とする。
【００１２】
このように構成した収納キャビネットにおいて、請求項５に係る発明は、上記網籠本体における上端周枠の両側枠部を両側面部の上端縁から外側方に水平に突出させて互いに平行な一定幅の縁部を形成してあり、この両側縁部をキャビネット本体の両側板の対向する内側面に前後方向に取付けている断面コ字状の水平ガイドレールに摺動自在に支持させていることを特徴とする。
【発明の効果】
【００１３】
本発明の請求項１に係る発明によれば、網籠本体の上端周枠における前側枠部を前方に向かって斜め下方に突設した把手部に屈折、形成していると共に、この把手部の後方に対向する網籠本体の前面上部を欠除して把手部の後方に網籠本体内に直接、連通した空間部を設けているので、把手部の後方には網籠本体内の収納物に至るまでに網籠本体を構成する線状物などの障害物が存在しない広い空間部を形成することができると共にこの把手部の上下方側にも何ら障害物の存在しない空間部を形成することができ、従って、把手部の把持が簡単且つ正確に行うことができると共に引出し操作も円滑に行うことができる網籠を提供することができる。
【００１４】
さらに、請求項２に係る発明によれば、複数本の線状物を縦横に網組してなる網籠本体における平面矩形状の網状底面部の前端から上方に屈曲している複数本の線状物において、把手部の後方に対応する線状物をその上端が中間周枠に達する短い長さに形成しているので、この中間周枠から上方には線状物が存在しない上記広い空間部を有する網籠を簡単に形成することができる。
【００１５】
請求項３に係る発明によれば、上記上端周枠の両側枠部を網籠本体の両側面部の上端縁から外側方に水平に突出した縁部に形成しているので、この網籠を引出しに使用した場合には、該縁部をガイドレールに摺動自在に支持させて網籠ので出し入れが容易に行うことができる。
【００１６】
請求項４に係る発明は、上記のように構成した複数の網籠を箱形引出し又は扉体と共にキャビネット本体に配設してなる収納キャビネットであって、各網籠の前面部に形成している把手部と各箱形引出し又は扉体の把手体とを縦方向に同一垂直面上に配列していると共に網籠の把手部の突出長と箱形引出し又は扉体の把手体の突出長とを同一長さとし、且つ、網籠の把手部と箱形引出し又は扉体の把手体との下方への傾斜角度を等しい角度に形成しているので、調和のとれた優れた外観を呈するキャビネットを構成することができるばかりでなく、網籠の把手部を把持した際の感覚と箱形引出し又は扉体の把手体を把持した際の感覚とが同じに感じられて全く違和感が生じることなく自然な引出しが可能となり、使用勝手が良好となる収納キャビネットを提供することができる。
【００１７】
このように構成した収納キャビネットにおいて、請求項５に係る発明は、網籠本体における上端周枠の両側枠部を両側面部の上端縁から外側方に水平に突出させて互いに平行な一定幅の縁部を形成してあり、この両側縁部をキャビネット本体の両側板の対向する内側面に前後方向に取付けている断面コ字状の水平ガイドレールに摺動自在に支持させているので、網籠本体の出し入れが容易に行える簡単な引出し構造を構成することができる。
【発明を実施するための最良の形態】
【００１８】
本発明の具体的な実施の形態を図面について説明すると、図１は網籠の斜視図、図２はその分解斜視図、図３は簡略正面図、図４は簡略側面図であって、これらの図において、網籠本体１は所定間隔毎に並設した複数本の金属線よりなる線状物２、３の長さ方向の中央部を直交するように縦横に網組してその交差部を溶接によって固着することにより形成された平面矩形状の網状底面部1Aと、この網状底面部1Aの四方端縁から突出した互いに交差していない上記線状物２、３の両端部2a、3aを上方に向かって屈曲させると共にこれらの線状物2a、3aの高さ方向の中間部に直交させながら一巻き状に囲むようにして線状物よりなる中間周枠４を固着することにより形成された一定高さを有する網状の前後面部1B、1Cと両側面部1D、1Dと、これらの前後面部1B、1Cと両側面部1D、1Dとによって囲まれた収納空間部の上端開口部、即ち、前後面部1B、1Cと両側面部1D、1Dとからなる周壁面の上端縁に溶接によって一体に固着した平面矩形状の上端周枠５とからなるものである。
【００１９】
このように構成した網籠本体１において、上記中間周枠４と上端周枠５とは金属線よりなる線状物によって形成されてあり、さらに、上端周枠５における前側枠部の長さ方向の中央部を前方に向かって斜め下方に突設した把手部６に屈折、形成している。具体的には、この上端周枠５の前側枠部の両端から中央部に向かって一定間隔を存した部分を一定長さだけ前方に向かって斜め下方45°に屈折させることにより把手部６の両側傾斜支持片部6a、6aを形成すると同時にこれらの両側傾斜支持片部6a、6aの前端間の枠部分によって網籠本体１の前面に平行な把持片部6bを形成している。従って、この把手部６における両側傾斜支持片部6a、6aの基端間には上端周枠５を形成している線状物は存在しない空間部が形成されている。なお、この把手部６における把持片部6bは、上記中間周枠４よりも上方に位置している。傾斜支持片部6a、6aの下方への傾斜角は、25°〜65°、好適には30°〜60°である。その傾斜角度が25°より小さいと、把持片部6bと中間周枠４との間の間隔が狭くなり、65°よりも大きいと、把手片部6bと網籠上部前端面との間隔が狭くなるからである。
【００２０】
さらに、この上端周枠５の両側枠部間の横幅を網籠本体１の開口端における横幅よりも大きくしてその両側枠部を網籠本体１の両側面部1D、1Dの上端縁から外側方に小間隔を存して突出させた互いに平行な縁部７、７に形成し、この縁部７、７を後述するように、キャビネット本体11の両側板12、12の対向内側面に設けている断面コ字状の水平ガイドレール13、13に摺動自在に支持させるように構成している。なお、上端周枠５の前後枠部には、上記網状の前後面部1B、1Cを形成している線状物2aにおけるこれらの枠部にまで達した上端をこの前後枠部に溶接よって一体に固着しているが、網状の両側面部1D、1Dを形成している線状物3aにおける上端は前後端が上端周枠５の前後枠部の両端部間にそれぞれ固着した金属線よりなる縁枠８、８に溶接によって固着してあり、これらの両側縁枠８、８に短尺の金属製連結片９、９を介して縁部７、７を溶接により一体に固着している。
【００２１】
また、網状底面部の前端から上方に屈曲して中間周枠４と共に網籠本体１の前面部1Bを形成している上記複数本の線状物2aにおいて、把手部６の後方側に対向する前面部1Bの上部をこれらの線状物2aが欠除している空間部10に形成している。具体的には、把手部６における両側傾斜支持片部6a、6aの基端間の網籠本体１の前面中央部において、両側傾斜支持片部6a、6a間に存在する網状底面部1Aの前端中央部から上方に屈曲している線状物2a' 、2a' の長さを短くしてその上端が中間周枠４にまでしか達しない長さに形成し、該上端を中間周枠４に固着してこの中間周枠４から上方には線状物2a' が存在しない空間部10に形成しているものである。
【００２２】
従って、把手部６の後方はこの空間部10を通じて網籠本体１の上端開口部に直接、連通した構造となり、該把手部６が網籠本体１の前面上端から前方に向かって斜め下方に突出していることと相まって、把手部６を把持する際には把手部６の上下ならびに後方側には把持の障害となる線状物等が存在せず、円滑な把持が可能となるものである。
【００２３】
なお、図においては、中間周枠４を網籠本体１の周壁部の上下２箇所に上下に所定間隔を存して設けているが１箇所のみに設けておいてもよく、或いは上下方向に３箇所以上に設けておいてもよい。２箇所以上に設けておく場合であって、把手部６の把手片部6bの後方側において、この把手片部6bよりも上方に中間周枠４が存在する場合には、把手部６の後方に位置する該中間周枠４の中央部を欠除した構造として中間周枠４が把手部６を把持する際の邪魔にならないようにしておく。図に示すように、網籠本体１の周壁部の上下２箇所に中間周枠４、４を設けている場合であって、上側の中間周枠４の高さが把手部６の把手片部6bの高さに達していない場合であっても、この中間周枠４が把手部６を把持する際に指先が当接する場合には該中間周枠４の中央部を欠除しておくものであり、邪魔にならない場合には該上側の中間周枠４の中央部を欠除することなく上記線状物2a' 、2a' の上端をこの上側の中間周枠４に固着して前面部1Bの網状面積を広くしておけばよい。
【００２４】
また、このように構成した網籠において、把手部６を上端周枠５の前側枠部の中央部によって形成しているが、図５に示すように、上端周枠５の一側部を前方に向かって斜め下方に屈曲させることにより網籠本体１の前面部1Bの上端一側部に把手部６を設けた構造としておいてもよく、或いは、図６に示すように、上端周枠５の両側部を前方に向かって斜め下方に屈曲させることにより左右一対の把手部６、６を形成しておいてもよい。さらに、図７に示すように、上端周枠５の前側枠部をその両端間に亘って前方に向かって斜め下方に屈折させることにより把手部６を形成しておいてもよい。
【００２５】
さらにまた、図８に示すように、把手部６の把手片部6bに筒状把手部材6cを被嵌させておいてもよい。この場合、この筒状把手部材6cとしては、半径４〜６mmの円筒形状であって且つ樹脂成形品であることが望ましい。また、上端周枠５としては、断面円形の線状物に限らず、後述する箱形引出し21の前面板22に前方に向かって突設している把手体23と同一断面形状のものを使用してもよい。また、上端周枠５及び把手部６を半径４〜６mmの太い線状物を使用することにより、さらに好適な効果が見込まれる。
【００２６】
図９は、前面が開口したキャビネット本体11内に複数の箱形引出し21と共に上記網籠を上下方向に数段宛、出し入れ自在に配設してなる収納キャビネットの簡略斜視図、図10はその簡略正面図であって、箱形引出し21は矩形状の底面板の四方端縁に上方に向かって一定高さの前後面板と両側面板とを一体に設けた周知の構造を有しており、その前面板22の前面に前方に向かって斜め下方に突設している把手体23を固着している。具体的には、この把手体23は図11、図12に示すように、上記網籠本体１の上端周枠５における前側枠部を前方に向かって屈曲、形成してなる把手部６の両側傾斜支持片部6a、6aと略同一突出長で且つ同一角度でもって前面板22から前方に向かって斜め下方に屈折、傾斜している両側取付部23a 、23a の前端間に手掛部23b を一体に設けてなる平面コ字状に形成されてあり、両側取付部23a 、23a の後端面を前面板22の前面に当接させた状態でネジ等により固着している。
【００２７】
さらに、箱形引出し21の前面板22に対する該把手体23の左右方向の配設位置を上記網籠本体１に突設している把手部６の左右方向の配設位置と同一位置に設けて各網籠本体１に把手部６に突設している把手部６と各箱形引出し21に突設している把手体23とを縦方向に同一垂直面上に配設している。例えば、上記図９〜図12においては、これらの把手部６と把手体23とは左右方向の中央部に設けているが、図15に示すようにこれらの把手部６と把手体23とを一側部寄りにおいて、同一垂直面上に配設しておいてもよい。また、キャビネット本体11に扉体24を開閉自在に設ける場合には、この扉体24にもその前面に上記箱形引出し21と同じ把手体23を同一垂直面上にして突設しておく。
【００２８】
このように構成したので、キャビネット本体11に網籠と箱形引出しとを上下方向に数段宛、引出し自在に配設していると共に、網籠本体１に前方に向かって突設している把手部６と箱形引出し21に前方に向かって突設している把手体23とは、その突出長が同長であると共に斜め下方に向かって同一角度でもって傾斜させているので、意匠的に優れた外観を呈するばかりでなく、網籠本体１を引出す際にその把手部６を把持する時の指先の把持形態及び把持感覚と、箱形引出し21を引出す際や扉体24を開放する際ににその把手体23を把持する時の指先の把持形態及び把持感覚とが同じ形態、感覚となって違和感を感じることなく自然な引出しや開放が可能となるものである。さらに、網籠本体１の把手部６の上下方向及び後方には、何ら該把手部６を把持する際の障害物が存在しないから、網籠本体１の出し入れ操作が円滑に行うことができる。
【００２９】
網籠本体１をキャビネット本体11から出し入れ可能にする構造としては、図９、図10及び図13、図14に示すように、キャビネット本体11の両側板12、12の対向内側面に断面コ字状の水平ガイドレール13、13を固着し、この水平ガイドレール13、13に網籠本体１の開口端における両側端縁から外側方に突設した上端周枠５の両側枠部によって形成している縁部８、８を前後方向に摺動自在に挿入、係止させた構造を採用している。なお、箱形引出し21をキャビネット本体11から出し入れ可能にするには、図示していないが、周知の構造、例えば、上記網籠本体１の場合と同様に、キャビネット本体11の両側板12、12の対向内側面に断面コ字状のガイドレールを固着しておき、このガイドレールに箱形引出し21の両側板の外側面に突設している水平突条部材を摺動自在に支持させておけばよい。
【図面の簡単な説明】
【００３０】
【図１】網籠の斜視図。
【図２】その分解斜視図。
【図３】簡略正面図。
【図４】簡略側面図。
【図５】本発明の変形例を示す簡略正面図。
【図６】把手部を左右２箇所に設けた網籠の簡略正面図。
【図７】左右方向に長い把手部を設けた網籠の簡略正面図。
【図８】把手部に筒状把手部材を被嵌させている網籠の簡略正面図。
【図９】収納キャビネットの簡略斜視図。
【図１０】その簡略正面図。
【図１１】簡略側面図。
【図１２】簡略平面図。
【図１３】網籠本体を収納したキャビネット部分の横断面図。
【図１４】網籠本体の把手部を把持した状態の斜視図。
【図１５】収納キャビネットの変形例を示す簡略正面図。
【符号の説明】
【００３１】
１  網籠本体
２、３  線状物
４  中間周枠
５  上端周枠
６  把手部
７  縁部
10  空間部
11  キャビネット本体
13  水平ガイドレール
21  箱形引出し
22  前面板
23  把手体
【図１】
2008092966.tif 000003
【図２】
2008092966.tif 000004
【図３】
2008092966.tif 000005
【図４】
2008092966.tif 000006
【図５】
2008092966.tif 000007
【図６】
2008092966.tif 000008
【図７】
2008092966.tif 000009
【図８】
2008092966.tif 000010
【図９】
2008092966.tif 000011
【図１０】
2008092966.tif 000012
【図１１】
2008092966.tif 000013
【図１２】
2008092966.tif 000014
【図１３】
2008092966.tif 000015
【図１４】
2008092966.tif 000016
【図１５】
2008092966.tif 000017